(57)【特許請求の範囲】
【請求項１】
携帯電話網に無線接続するための送受信部を備えた電子ロック装置と、前記携帯電話網に無線接続するための送受信部を備えるとともに、前記電子ロック装置の解錠・施錠を遠隔地から通信回線を介して行うロック制御装置とを含むロック制御システムであって、
携帯電話機は、入力操作に応じて前記携帯電話網を介して前記電子ロック装置にアクセスして認証コードを獲得し、また、入力操作に応じて前記認証コード、ＩＤ及びパスワードを含む実行要求コードを生成し、さらに、入力操作に応じて前記実行要求コードを前記携帯電話網を介して前記ロック制御装置へ送信し、
前記ロック制御装置は、前記実行要求コードを用いた認証の結果に基づいて前記電子ロック装置の解錠又は施錠を行うことを特徴とするロック制御システム。
【請求項２】
前記電子ロック装置が、前記携帯電話機から送られてくる認証要求コードと予め記憶しているコードとを比較し、これらが一致したときのみ前記認証コードを送信するようにしたことを特徴とする請求項１のロック制御システム。
【請求項３】
前記認証要求コードには、前記携帯電話機に固有のＩＤ番号とパスワードを表すコードが含まれていることを特徴とする請求項２のロック制御システム。
【請求項４】
前記ロック制御装置が、前記携帯電話機から送られてくる前記実行要求コードが所定の条件を満たしている場合にのみ、前記電子ロック装置の解錠又は施錠を行うようにしたことを特徴とする請求項１，２又は３のロック制御システム。
【請求項５】
前記ロック制御装置が、前記電子ロック装置の解錠又は施錠を行った後、当該解錠又は施錠を完了したことを前記携帯電話機に通知するようにしたことを特徴とする請求項１，２，３又は４のロック制御システム。
【請求項６】
前記ロック制御装置が、前記携帯電話機から送られてくる確認コードを受信すると、前記電子ロック装置の解錠又は施錠の状態を確認してその結果を前記携帯電話に通知するようにしたことを特徴とする請求項１，２，３，４又は５のロック制御システム。
【発明の詳細な説明】
【０００１】
【発明の属する技術分野】
本発明は、ロック制御システムに関し、特に携帯電話機を利用するロック制御システムに関する。
【０００２】
【従来の技術】
最近のピッキング被害の増大により、ますます、玄関ドア等のロックの信頼性の向上が求められている。従来から、２重ロックや、カード式ロック、あるいは暗証番号入力式ロックなど、様々なロック装置が開発されているが、いずれも、十分な信頼性を備えているとは言えない。
【０００３】
一方、近年の移動体通信網の発達に伴って、携帯電話機は急速に普及し、一人に一台の時代も間近に迫っている。携帯電話機は、個々に割り当てられたＩＤ番号を有しているため、個人の認証（正確には電話機であるが）に利用することが可能である。
【０００４】
以上の様な状況から、携帯電話機からロックの解錠又は施錠の指令を送信することによって、個人の認証を行ってからロックの解錠又は施錠を行うことを可能にするロック制御システムが、幾つか提案されている（例えば、特開２０００−２０２９号公報、特開２０００−１２９９７７号公報、及び特開２０００−１８６４４２号公報など）。
【０００５】
【発明が解決しようとする課題】
しかしながら、従来提案されている携帯電話機を用いたロック制御システムは、何れも、携帯電話機からロック装置に対して直接解錠・施錠の指令を出すものである。このため、携帯電話機が盗用された場合など、不正使用が行われても、それを防止する手段が存在しないという問題点がある。
【０００６】
そこで、本発明は、携帯電話機の不正使用にも対抗できる、より信頼性の高い、携帯電話機を用いるロック制御システムを提供することを目的とする。
【０００７】
【課題を解決するための手段】
本発明によれば、携帯電話網に無線接続するための送受信部を備えた電子ロック装置と、前記携帯電話網に無線接続するための送受信部を備えるとともに、前記電子ロック装置の解錠・施錠を遠隔地から通信回線を介して行うロック制御装置とを含むロック制御システムであって、携帯電話機は、入力操作に応じて前記携帯電話網を介して前記電子ロック装置にアクセスして認証コードを獲得し、また、入力操作に応じて前記認証コード、ＩＤ及びパスワードを含む実行要求コードを生成し、さらに入力操作に応じて該実行要求コードを前記携帯電話網を介して前記ロック制御装置へ送信し、前記ロック制御装置は、前記実行要求コードを用いた認証の結果に基づいて前記電子ロック装置の解錠又は施錠を行うことを特徴とするロック制御システムが得られる。
【０００８】
具体的には、前記電子ロック装置は、前記携帯電話機から送られてくる認証要求コードと予め記憶しているコードとを比較し、これらが一致したときのみ前記認証コードを送信する。ここで、前記認証要求コードには、前記携帯電話機に固有のＩＤ番号とパスワードを表すコードが含まれる。
【０００９】
また、前記ロック制御装置は、前記携帯電話機から送られてくる前記実行要求コードが所定の条件を満たしている場合にのみ、前記電子ロック装置の解錠又は施錠を行う。
【００１０】
さらに、前記ロック制御装置は、前記電子ロック装置の解錠又は施錠を行った後、当該解錠又は施錠を完了したことを前記携帯電話機に通知する。
【００１１】
さらにまた、前記ロック制御装置は、前記携帯電話機から送られてくる確認コードを受信すると、前記電子ロック装置の解錠又は施錠の状態を確認してその結果を前記携帯電話に通知する。
【００１２】
【発明の実施の形態】
以下、図面を参照して、本発明の実施の形態について詳細に説明する。
【００１３】
図１に、本発明の一実施の形態に係るロック制御システムを示す。このロック制御システムは、利用者の自宅の玄関ドア等に取り付けられた電子ロック装置１０と、セキュリティー会社に設置されたロック制御装置２０とを有している。つまり、このロック制御システムを利用するには、セキュリティ会社との契約が必要である。また、このロック制御システムを利用するには、携帯電話機３０が必要である。
【００１４】
電子ロック装置１０は、図２に示すように、各部を制御する制御回路１１と、電子錠を含む電子ロック部１２と、ユーザＩＤ番号などの所定の情報を記憶するメモリ部１３と、携帯電話網に接続するための送受信部１４と、ロック制御装置２０と通信するための通信部１５とを備えている。
【００１５】
また、ロック制御装置２０は、図３に示すように、各部を制御する制御回路２１と、種々の情報を記憶するメモリ２２と、携帯電話網に接続するための送受信部２３と、電子ロック装置１０と通信するための通信部２４とを備えている。
【００１６】
また、携帯電話機３０は、図４に示すように、各部を制御する制御回路３１と、自機の携帯電話機ＩＤを含む所定の情報を記憶するためのメモリ部３２と、電話番号等を入力するためのキー入力部３３と、キー入力部３３からの入力内容などを表示する表示部３４と、携帯電話網に接続するための送受信部３５とを備えている。
【００１７】
以下、図１乃至図４に加え、図５をも参照して、本実施の形態に係るロック制御システムの動作について説明する。
【００１８】
利用者は、電子ロック装置１０の電子錠を解錠又は施錠しようとする場合、まず、キー入力部３３を操作して認証要求コードを作成する（ステップＳ５０１）。この認証要求コードには、メモリ部３２に記憶されている自機のＩＤ番号（携帯電話機ＩＤ番号）と、同じくメモリ部３２に記憶されているかあるいはキー入力部３３から入力されるパスワードと、要求する処理（解錠又は施錠）を表すコードが含まれる。
【００１９】
次に、利用者は、電子ロック装置１０に対して電話をかける（ステップＳ５０２）。接続処理が完了し、電子ロック装置１０が応答したならば、利用者は、先程生成した認証要求コードを、電子ロック装置１０へ送信する（ステップＳ５０３）。
【００２０】
携帯電話網を介して、携帯電話機１０からの認証要求コードを受信した電子ロック装置１０の制御回路１１は、受信した認証要求コードに含まれる携帯電話機ＩＤ及びパスワードを、メモリ部１３に記憶されている利用者ＩＤ及び利用者パスワードと比較する。これらのコードが共に一致したならば、制御回路１１はこれらが一致したと認識し、認証コードを作成する（ステップＳ５０４）。そして、制御回路１１は、送受信部１４から携帯電話機１０へ認証コードを送信する。
【００２１】
なお、電子ロック装置が生成する認証コードには、この電子ロック装置１０に固有のコードと、認証キーと、要求された処理を表すコードが含まれる。尚、認証キーは、所定の規則に従ってその内容が随時変更されるものであるとする。また、認証キーを変更するための規則は、ロック制御装置２０もまた認識しているものとする。
【００２２】
利用者は、携帯電話機３０にて認証コードを受信すると電子ロック装置１０との通信を終了する（ステップＳ５０６）。そして、利用者は、キー入力部３３を操作して、解錠または施錠の実行を要求するために、受け取った認証コード、携帯電話機ＩＤ番号、パスワードを含む実行要求コードを生成する（ステップＳ５０７）。尚、パスワードとしては、安全性向上のため、電子ロック装置１０への認証要求コードに含まれるものとは異なるものが使用できる。
【００２３】
このあと利用者は、携帯電話機３０から、セキュリティ会社のロック制御装置２０に対して電話をかける（ステップＳ５０８）。ロック制御装置２０が呼び出しに応じると、携帯電話機３０は、先程生成した実行要求コードを、ロック制御装置２０に送信する（ステップＳ５０９）。そして、携帯電話機３０は、ロック制御装置２０との通信を終了する（ステップＳ５１０）。
【００２４】
ロック制御装置２０では、送受信部２３を介して携帯電話装置１０からの実行要求コードを受け取ると、制御回路２１が、実行要求コードに含まれる携帯電話機ＩＤとパスワードを、それぞれメモリ２２に格納されたＩＤ及びパスワードと比較する。そして、これらが一致したならば、制御回路２１は、更に、ロック制御装置は、認証キーが正当なものであるか否か判断する。例えば、認証キーが、それが生成された時刻情報を含むものであれば、所定時間（例えば、３分）以上経過しているような場合には、不正なアクセスであるとして、以後の処理を終了する。
【００２５】
一方、認証キーが正当なものであると判断すると、制御回路１５は、実行要求コードに含まれる電子ロック装置１０のコードと要求された処理を表すコードとに基づいて、実行コードを生成する（ステップＳ５１１）。そして、制御回路１５は、通信部２４を通じて電子ロック装置１０との間に通信路を確立し（ステップＳ５１２）、生成した実行コードを、電子ロック装置１０に送信する。なお、通信部２４は、電子ロック装置１０のみと通信するための専用線（電線、光ファイバ等）に接続されたものでもよいし、公衆電話網に接続されたものでもよい。また、携帯電話網を利用することもでき、その場合は、送受信部２３があれば、通信部２４は不要となる。
【００２６】
通信部１５を介して実行コードを受け取った電子ロック装置１０では、制御回路１１が、その実行コードが、自分が送信した認証キーを含む認証コードに基づいて生成されたものであることを確認した後、電子ロック部１２の電子錠を解錠又は施錠する（ステップＳ５１４）。それから、制御回路１１は、通信部１５を介して実行結果をロック制御装置２０に通知する（ステップＳ５１５）。
【００２７】
電子ロック装置１０から施錠又は解錠の実行結果の通知を受けると、ロック制御装置２０は、電子ロック装置１０との間の通信を終了する（ステップＳ５１６）。そして、ロック制御装置２０は、送受信部２３から携帯電話機３０に電話をかけ（ステップＳ５１７）、要求された処理が終了したことを通知する（ステップＳ５１８）。その後、ロック制御装置２０は、その通信を終了する（ステップＳ５１９）。
【００２８】
処理の終了通知は、音声によって可能であるが、電子メールとして携帯電話機３０に送信することもできる。この場合、処理結果が示す文字が、携帯電話機３０の表示部３４に表示される（ステップＳ５２０）。
【００２９】
以上のように、本実施の形態に係るロック制御システムでは、携帯電話機から直接電子ロック装置に施錠・解錠の指令を出すのではなく、一度認証を行った後、セキュリティ会社にあるロック制御装置から施錠・解錠の命令を出すようにしたので、２つのパスワードによる認証が可能であり、また、電子ロック装置が生成する認証キーがなければ施錠・解錠ができないなどの理由により、信頼性が向上する。
【００３０】
また、携帯電話機が盗まれたような場合には、セキュリティー会社に連絡を入れることにより、携帯電話機の不正使用による解錠を不可能にすることができる。
【００３１】
更に、本実施の形態に係るロック制御システムでは、電子ロック装置１０の解錠・施錠をセキュリティー会社のロック制御装置２０が管理しているので、電子ロック装置１０の解錠・施錠の状態を遠隔地から容易に知ることができる。その際の動作について、図６を参照して説明する。
【００３２】
まず、利用者は、携帯電話機３０のキー入力部３３を操作して、確認コードを生成する（ステップＳ６０１）。確認コードには、携帯電話機ＩＤ、パスワード、必要なら電子ロック装置１０を特定するためのコードが含まれる。
【００３３】
次に、利用者は、携帯電話機３０を使ってロック制御装置２０に電話をかける（Ｓ６０２）。ロック制御装置２０が呼び出しに応じると、携帯電話機３０は、先の確認コードをロック制御装置２０へ送信し（ステップＳ６０３）、通信を終了する（ステップＳ６０４）。
【００３４】
携帯電話機３０から送信された確認コードを受信したロック制御装置２０は、電子ロック装置１０との通信路を確立し（ステップＳ６０５）、受信した確認コードを電子ロック装置１０へ送信する（ステップＳ６０６）。
【００３５】
確認コードを受け取った電子ロック装置１０は、電子ロック部１２の電子錠の状態を確認し、確認結果をロック制御装置２０に送信する（ステップＳ６０７）。
【００３６】
ロック制御装置２０は、電子ロック装置１０からの確認結果を受け取ると、電子ロック装置１０との間の通信路を切断する（ステップＳ６０８）。それから、ロック制御装置２０は、携帯電話機３０に電話をかけ（ステップＳ６０９）、確認結果を、携帯電話機３０に通知する（ステップＳ６１０）。その後、ロック制御装置２０は、携帯電話機３０との通信路を切断する（ステップＳ６１１）。
【００３７】
携帯電話機３０は、ロック制御装置２０から送られてきた確認結果を、表示部３４に表示する。
【００３８】
以上のようにして、本実施の形態に係るロック制御システムでは、利用者は、遠隔地から電子ロック装置の状態を容易に知ることができる。
【００３９】
【発明の効果】
本発明によれば、携帯電話機から電子錠に直接解錠・施錠の命令を送るのではなく、これらの間にセキュリティーが社によって管理されるロック制御装置を介在させるようにしたことで、信頼性のより高いロック制御システムを得ることができる。
【００４０】
また、本発明によれば、遠隔地から、解錠・施錠の状態を容易に知ることができるロック制御システムが得られる。
【図面の簡単な説明】
【図１】本発明の一実施の形態に係るロック制御システムの概念図である。
【図２】図１のシステムに使用される電子ロック装置のブロック図である。
【図３】図１のシステムに使用されるロック制御装置のブロック図である。
【図４】図１のシステムに使用される携帯電話機のブロック図である。
【図５】図１のロック制御システムの動作を説明するためのシーケンス図である。
【図６】図１のロック制御システムの他の動作を説明するためのシーケンス図である。
【符号の説明】
１０      電子ロック装置
１１      制御回路
１２      電子ロック部
１３      メモリ部
１４      送受信部
１５      通信部
２０      ロック制御装置
２１      制御回路
２２      メモリ
２３      送受信部
２４      通信部
３０      携帯電話機
３１      制御回路
３２      メモリ部
３３      キー入力部
３４      表示部
３５      送受信部
【図１】
0004200347.tif 000002
【図２】
0004200347.tif 000003
【図３】
0004200347.tif 000004
【図４】
0004200347.tif 000005
【図５】
0004200347.tif 000006
【図６】
0004200347.tif 000007